【手続補正書】
【提出日】平成26年6月3日(2014.6.3)
【手続補正１】
【補正対象書類名】特許請求の範囲
【補正対象項目名】全文
【補正方法】変更
【補正の内容】
【特許請求の範囲】
【請求項１】
遊技の制御を司る主制御部と、
電源投入に基づいて外部電圧を受電し、主制御部とカードユニットに対して電圧を供給する分電部と、外部電圧の受電を遮断可能な第１遮断部と、カードユニットへの電圧の供給を遮断可能な第２遮断部と、を有し、
主制御部は、ＣＰＵと、ＲＯＭと、ＲＡＭと、を有し、
ＣＰＵは、ＲＯＭに書き込まれたプログラムに基づき、ＲＡＭをワークエリアとして使用し、
外部電圧が遮断されたときに、ＲＡＭの内容を保持するＲＡＭバックアップ機能を備え、
電源投入時にＲＡＭクリアスイッチの操作があった場合は、ＲＡＭクリア信号に基づきＲＡＭの内容を消去することを特徴する遊技機。
【請求項２】
遊技の制御を司る主制御部と、
該主制御部に  従って作動する副制御部と、
電源投入に基づいて外部電圧を受電し、副制御部とカードユニットに対して電圧を供給する分電部と、外部電圧の受電を遮断可能な第１遮断部と、カードユニットへの電圧の供給を遮断可能な第２遮断部と、を有し、
副制御部は、ＣＰＵと、ＲＯＭと、ＲＡＭと、を有し、
ＣＰＵは、ＲＯＭに書き込まれたプログラムに基づき、ＲＡＭをワークエリアとして使用し、
外部電圧が遮断されたときに、ＲＡＭの内容を保持するＲＡＭバックアップ機能を備え、
電源投入時にＲＡＭクリアスイッチの操作があった場合は、ＲＡＭクリア信号に基づきＲＡＭの内容を消去することを特徴する遊技機。
【手続補正２】
【補正対象書類名】明細書
【補正対象項目名】０００２
【補正方法】変更
【補正の内容】
【０００２】
一般に、パチンコ機等の遊技機においてはコンピュータ制御が採り入れられており、遊技機の電源投入時から通常の遊技時に至るまで、ＣＰＵにおいて遊技制御に必要な信号が生成され、各種遊技装置の制御が行なわれている。このようなＣＰＵを含む制御部は、制御の効率化及び構成の単純化のために２以上に分けて構成される場合が多く、例えば遊技の制御を司る主制御部と、該主制御部に従って作動する複数の副制御部とに分けて構成されている。
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】変更
【補正の内容】
【０００５】
本発明の課題は、電源立上げ時の動作不良の発生を抑制することが可能な遊技機を提供することにある。
【手続補正５】
【補正対象書類名】明細書
【補正対象項目名】０００６
【補正方法】変更
【補正の内容】
【０００６】
上記課題を解決するために、本発明の遊技機は、
遊技の制御を司る主制御部と、
電源投入に基づいて外部電圧を受電し、主制御部とカードユニットに対して電圧を供給する分電部と、外部電圧の受電を遮断可能な第１遮断部と、カードユニットへの電圧の供給を遮断可能な第２遮断部と、を有し、
主制御部は、ＣＰＵと、ＲＯＭと、ＲＡＭと、を有し、
ＣＰＵは、ＲＯＭに書き込まれたプログラムに基づき、ＲＡＭをワークエリアとして使用し、
外部電圧が遮断されたときに、ＲＡＭの内容を保持するＲＡＭバックアップ機能を備え、
電源投入時にＲＡＭクリアスイッチの操作があった場合は、ＲＡＭクリア信号に基づきＲＡＭの内容を消去することを特徴する。
また、本発明の第２の態様として、
遊技の制御を司る主制御部と、
該主制御部に従って作動する副制御部と、
電源投入に基づいて外部電圧を受電し、副制御部とカードユニットに対して電圧を供給する分電部と、外部電圧の受電を遮断可能な第１遮断部と、カードユニットへの電圧の供給を遮断可能な第２遮断部と、を有し、
副制御部は、ＣＰＵと、ＲＯＭと、ＲＡＭと、を有し、
ＣＰＵは、ＲＯＭに書き込まれたプログラムに基づき、ＲＡＭをワークエリアとして使用し、
外部電圧が遮断されたときに、ＲＡＭの内容を保持するＲＡＭバックアップ機能を備え、
電源投入時にＲＡＭクリアスイッチの操作があった場合は、ＲＡＭクリア信号に基づきＲＡＭの内容を消去することを特徴する。
また、他の態様は、遊技の制御を司る主制御部と、前記主制御部からの信号に基づいて所定の制御を実行する複数の副制御部と、前記主制御部及び前記複数の副制御部に対して電源電圧を出力するための電源電圧出力部と、を有し、前記電源電圧出力部は、前記複数の副制御部が作動生起したことを示す信号に基づいて、前記主制御部に対して電源電圧を出力することを特徴とする。
このような構成により、例えば当該遊技機の電源電圧の投入時等に、まず複数の副制御部に電源電圧が供給され、その電源電圧の供給により作動した各副制御部は作動生起信号を出力制御手段に出力し、出力制御手段が該作動生起信号をそれぞれ受信した場合に、主制御部に対して電源電圧が出力されるものとされている。したがって、より確実に主制御部の作動が副制御部の作動に遅延して開始されるため、主制御部からの制御信号を副制御部側で取りこぼす等の問題が一層生じ難くなり得る。
【手続補正６】
【補正対象書類名】明細書
【補正対象項目名】０００７
【補正方法】変更
【補正の内容】
【０００７】
また、更に他の態様は、遊技の制御を司る主制御部と、該主制御部に従って作動する副制御部と、これら制御部に対して電源電圧を出力するための電源電圧出力部とを有し、前記電源電圧出力部は、前記副制御部からの信号に基づいて、前記主制御部に対して前記電源電圧を出力する制御を行う出力制御手段と、前記電源電圧出力部において前記副制御部からの信号を所定のタイミングで受信できなかった場合に、エラーと判断するエラー検出手段と、を備え、前記エラーの検出があった場合にエラー報知を行なうを備えることを特徴とする。
このような遊技機によると、主制御部を作動させるための電源電圧が、副制御部からの信号に基づいて出力されるため、主制御部が作動する前に副制御部が作動するものとなり、例えば主制御部が作動した後における主制御部からの制御信号を副制御部側で取りこぼす等の問題が生じ難くなり得る。さらに電源電圧出力部（出力制御手段）において、副制御部からの信号が所定のタイミングで受信されない場合、もしくは所定の信号と異なる信号を受信した場合等はエラー検出することも可能となり、一層確実に電源出力時（電源投入時）の制御を行うことが可能となり得る。なお、報知手段を当該遊技機に設け、エラー検出があった場合には該報知手段によりエラーの旨を報知するものとすることもできる。
【手続補正７】
【補正対象書類名】明細書
【補正対象項目名】００１０
【補正方法】変更
【補正の内容】
【００１０】
また、更に他の態様としての遊技機は、遊技の制御を司る主制御部と、該主制御部に従って作動する複数の副制御部と、これら制御部に対して電源電圧を出力するための電源電圧出力部とを有し、前記副制御部は、その作動の立ち上がりを示す作動生起信号を出力可能とされており、前記電源電圧出力部は、当該電源電圧の投入時に、前記副制御部に前記電源電圧を出力した後、前記複数の副制御部からの作動生起信号をそれぞれ受信した場合に前記電源電圧を前記主制御部に出力する制御を行う出力制御手段を備えることを特徴とする。
【手続補正８】
【補正対象書類名】明細書
【補正対象項目名】００１８
【補正方法】変更
【補正の内容】
【００１８】
電源立上げ時の動作不良の発生を抑制することが可能である。